(57)【要約】      （修正有）【課題】小粒な種は指で掴みにくく人手で少量ずつ蒔くのは難しい。家庭菜園や家庭園芸などで手軽に使え、小粒の種を筋蒔きできる種まき器を提供する。【解決手段】筒状の一端を種出入口とし他端を種出口とした種容器１の中間域の中空を数ミリまで狭め、中空が一番狭くなった筒壁を、筒壁の一部が残る程度に円弧状にえぐり、種送り口とし、柄４を種送り口と反対側に固定する。ブラシ状の外周面を持つローラー２が、種送り口に接触し、ブラシが種送り口に広がる程度に接触させるようローラー軸３を設け、そのローラー軸３を柄４に固定する。【選択図】図５
2014204689.tif 000002
【特許請求の範囲】
【請求項１】
種容器、ローラー、ローラー軸、および、柄で構成される種まき器において、種容器は筒状で、中央部分の中空を狭くし、一番狭くしたところに直交する形で柄を固定し、種容器と柄の固定部分で筒状の中空が一番狭くなったところの筒壁を、柄とは真反対側から円弧状にえぐり、種送り口を設け、種送り口の切除面に接触する形でローラーを配置するがためにローラー軸を、種容器と柄の両方に直交させつつ「コ」の字形に曲げて種送り口の正面に配置し、種容器は数十センチの筒状で、一端を種出入口とし、フタを付け、他端を種出口とし、種容器の中空の内径は、種出入口では数センチとし、種出入口から中間域にかけて中空を徐々に狭め、一番狭くした箇所では数ミリとし、その後、中空の内径をやや広げ、種出口に向かうよう成型し、種送り口は、既述の通り、種容器の筒壁を円弧状にえぐり、切除して形成されるが、一番深く切除した箇所で筒壁の一部を残し、種送り通路を設け、ローラーの外周面は、ブラシ状とし弾性力を持たせ、ブラシ状の弾性力を持ったローラーの外周面を種送り口に隙間なく接触させると、ブラシ繊維が、種送り通路に広がり、種の通路を塞ぐことを特徴とする小粒の種を筋蒔きできる種まき器。
【請求項２】
ローラーの外周面を、スポンジ状の合成発泡体とした、請求項１の小粒の種を筋蒔きできる種まき器。
【発明の詳細な説明】
【技術分野】
【０００１】
本発明は、小粒の種を筋蒔きできる種まき器、に関するものである。
【背景技術】
【０００２】
小粒の種は、指で掴みにくいため少量ずつ間隔を持ちながら蒔くのは難しい。一番手軽な方法は、一旦、手のひらに種を少量落とし、手首を捻って蒔きたい場所に落とすやり方であるが、一定間隔に蒔くには慣れを要する。家庭菜園や家庭園芸のマニアに知られている別の方法として、ハガキのような厚みのある紙を谷折し、「Ｖ」の字形の溝に少量の種を置き、種を蒔きたい場所の真上で、紙の先端をやや下げた状態で、指などで紙に細かな振動を与えると、種が少しずつ先端に向かって移動するので、うまくコントロールして種を少しずつ落としながら移動するやり方であるが、慣れを要するし、風で種が飛ばされてしまうリスクがある。
【０００３】
Ｖ字形の送り出し溝と開放部を持つ仕切り板で作られた菱形種容器の開口部にそろばん玉状の弾力部材からなる回転体を内接させ送り出そうとするものも知られている（特許文献１参照）。
【先行技術文献】
【特許文献】
【０００４】
【特許文献１】特開２００９−２５４２７７号公報
【発明の概要】
【発明が解決しようとする課題】
【０００５】
特許文献１における第１の問題として、提案されている種蒔き器は、種の計数を行うためのものであり、種を畑などに一定間隔に蒔く動作は行わない。すなわち、種蒔き器の動作は種を送り出し、仮受皿に仮置きするまでであり、種を蒔く動作は、種蒔き器を持った手首を捻ることで実現するとしている。従って、種を蒔く動作は、手のひらに乗せた種を蒔く動作と大差なく、連続的な種蒔きができない。複数の種子を仮受皿に仮置き、手首を捻って種を蒔いた場合、蒔きたい場所の近くで手首を捻ると種子は一箇所に集中してしまい、蒔きたい場所から離れたところで手首を捻ると種子は分散してしまい、いわゆる筋蒔きはできない。
【０００６】
特許文献１における第２の問題として、弾力部材からなる回転体で種を送り出した後、回転体の周囲は何も接触しない開放部となるため、種が弾力部材に付着したまま回転し、種が外部にこぼれることがあり、正確な計数ができない。
【０００７】
特許文献１における第３の問題として、送り出し口が開放されているため、回転体によって送り出された種が出口で跳ねた場合に、送り出し口から周囲に飛び散ることがあり、正確な計数ができない。
【０００８】
特許文献１における第４の問題として、弾力部材でできた回転体が簡単に着雑できる構造ではないため、保管中に弾力部材のヘタリや変形が予想され、次回使用時に十分な性能を発揮できないことが懸念される。
【課題を解決するための手段】
【０００９】
種容器、ローラー、ローラー軸、および、柄で構成される種まき器において、種容器は筒状で、中央部分の中空を狭くし、一番狭くしたところに直交する形で柄を固定する。種容器と柄の固定部分で筒状の中空が一番狭くなったところの筒壁を、柄とは真反対側から円弧状にえぐり、種送り口を設ける。種送り口の切除面に接触する形でローラーを配置するがためにローラー軸を、種容器と柄の両方に直交させつつ「コ」の字形に曲げて種送り口の正面に配置し、ローラーを、ローラー軸にナット締めで装着する。
【００１０】
種容器は数十センチの筒状で、一端を種出入口とし、フタを付け、他端を種出口とする。種容器の中空の内径は、種出入口では数センチとし、種出入口から中間域にかけて中空を徐々に狭め、一番狭くした箇所では数ミリとし、その後、中空の内径をやや広げ、種出口に向かうよう成型する。種送り口は、既述の通り、種容器の筒壁を円弧状にえぐり、切除して形成されるが、一番深く切除した箇所で筒壁の一部を残し、種送り通路を設ける。
【００１１】
ローラーの外周面は、ブラシ状とし弾性力を持たせる。ブラシ状の弾性力を持ったローラーの外周面を種送り口に隙間なく接触させると、ブラシ繊維が、種送り通路に広がり、種の通路を塞ぐ。以上を特徴とする、小粒の種を筋蒔きできる種まき器である。
【発明の効果】
【００１２】
種出口を移動させながら、ローラーを回すと連側的に、種と種がある程度の間隔を保ちながら蒔かれた状態となり、いわゆる筋蒔きができるので、特許文献１で指摘した第１の問題を解決できる。
【００１３】
種送り通路に滞留する種は、ローラー外周面のブラシの弾力で、押し出されるが、ブラシ繊維に種が付着したまま回転しても、種送り口の筒内壁で、掻き落とされるので、特許文献１で指摘した第２の問題を解決できる。
【００１４】
種送り口から、種出口まで、筒状の種の通路があるため、種送り口から落下した種は、種出口の近くに落下するので、特許文献１で指摘した第３の問題を解決できる。
【００１５】
ローラーをローラー軸にナット締めで装着するので、ローラーは着脱可能である。長期保管時にローラーを取り外しておけば、ローラー外周面のブラシのヘタリや変形を防止でき、弾力性能を維持できるので、特許文献１で指摘した第４の問題を解決できる。
【図面の簡単な説明】
【００１６】
【図１】本発明の斜視図
【図２】本発明におけるローラー軸の取り付けを分かりやすく示した斜視図
【図３】本発明の一部である種容器の斜視図
【図４】本発明におけるローラーを取り外した状態を示す分解斜視図
【図５】本発明の利用状態を示す斜視図
【図６】本発明の一部である種送り機構の断面図
【発明を実施するための形態】
【００１７】
本発明の実施の形態を、図１〜図６で説明する。図１、図２は、本発明の斜視図である。種まき器は、種容器（１）、ローラー（２）、ローラー軸（３）、柄（４）で構成され柄（４）に、種容器（１）と、ローラー軸（３）を固定し、ローラー軸（３）にローラー（２）を装着する。
【００１８】
図３に示された種容器（１）の各部位について説明する。種容器（１）は筒状で一端を種出入口（１２）としフタ（１１）を付け、他端を種出口（１４）とする。種容器（１）は、フタ（１１）、種出入口（１２）、種出入口（１２）から種出口（１４）に至る筒状部（１３）、種送り口（１５）、種送り通路（１６）の各部位からなる。フタ（１１）は、ネジ方式を示したが、種容器と一体にし開閉式としても良い。種容器（１）の長さは数十センチであり、中空の内径は種出入口（１２）では数センチとし種出入口（１２）から中間域にかけて中空を徐々に狭め、中間域を一番狭く数ミリとし、その直後に、中空の内径を広げ、種出口（１４）に向かうよう成型する。種送り口（１５）は、筒状部（１３）の中間域で、中空が一番狭くなった筒壁を、外側から円弧状にえぐり、筒壁の一部を残すように切除した断面である。種送り口（１５）は、一番深く切除した部分でも筒壁の一部を残し、種送り通路（１６）を確保する。
【００１９】
図３では、種出入口（１２）から中間域にかけての中空を円錐形で示したが、徐々に中空が狭まる形状であれば他の形状でも良い。また、種送り口（１５）から種出口（１４）にかけての筒状部（１３）の形状を真っ直ぐな筒で示したが、着脱可能なシリコン製チューブやビニール製チューブなどの部材にすると、種が落下している様子を見え、種容器（１）のクリーニングも容易になる。
【００２０】
図４は、ローラーを取り外した状態を示す分解斜視図である。種容器（１）と柄（４）の構成について説明する。まず、棒状の柄（４）を、種容器（１）の種送り通路（１６）を挟んで種送り口（１５）の反対側に、略直交する形で固定する。柄の長さは、片手で握れる１０センチ前後とし、柄の太さは数十ミリとする。
【００２１】
図４に示されたローラー軸（３）とローラー（２）の構成について説明する。ローラー（２）は、軸受を有し、ブラシ状の外周面を設ける。ローラー（２）をローラー軸（３）に装着した時に、ローラー（２）のブラシ繊維（２１）が種送り口（１５）から広がり、種送り通路（１６）を塞ぐようにするため、ローラー軸（３）を、種送り口（１５）の正面、かつ、種容器（１）と柄（４）の両方に直交する方向に配置し、そのローラー軸を「コ」の字形に曲げ、柄に固定する。図４は、ローラー軸を「コ」の字形に曲げて、柄（４）にナット締めした例を示すが、「？」の字形に曲げて柄の中心線に通して接着固定する方法もある。ローラー（２）を、ローラー軸（３）に通し、種送り口（１５）の正面に来るようにゆるみ止めナット（５）で装着する。
【００２２】
以上の形態説明では、種容器（１）とローラー軸（３）と柄（４）を別個のものとして説明したが、種容器（１）、ローラー軸（３）、柄（４）の素材を金属やプラスチックに統一することで、種容器（１）と柄（４）を一体に成型したり、種容器（１）とローラー軸（３）と柄（４）を一体に成型することが可能となる。プラスチックを素材とすれば、種容器（１）を透明または半透明にでき、種の様子がわかりやすくなる。また、ローラー（２）を指で回すのではなく電動とする方法も考えられるし、レバーや引き金を引くことでローラー（２）を回す方法も考えられる。ローラー（２）の外周面の弾性部材としてブラシ状の形態を示したが、弾性部材として、スポンジ状の合成発泡体や弾力性ある樹脂製としても、ほぼ同様の効果を得ることができる。
【００２３】
本発明は以上のような構造である。図５は、本発明の利用状態を示す斜視図である。図６は、種送り機構の断面図である。種容器（１）のフタ（１１）から種を入れ、種を蒔きたい地面に種出口（１４）を近づけると、筒状部（１３）にある種（Ｓ）は、重力により下方の種出口（１４）に落下しようとするが、種送り通路（１６）に、はみ出しているローラー（２）外周面のブラシ繊維（２１）で通路を塞がれ、滞留している。ローラー（２）を指でゆっくり回転方向（Ｐ）に回すと、種送り通路（１６）でローラー（２）外周面のブラシ繊維（２１）に接触して滞留していた種が、少量ずつ押し出される。押し出された種は、重力により筒状部（１３）の中空を通り種出口（１４）に落下する。種出口（１４）を、種を蒔きたいところに近づけ、ローラー（２）を回しながら、移動させると、種と種がある程度の間隔を保ちながら蒔かれた状態、いわゆる筋蒔きとなる。ブラシ繊維（２１）に、種（Ｔ）が付着したまま回転することがあるが、種送り通路（１６）の最後までブラシ繊維（２１）が接触する構造のため、種（Ｔ）は、種送り通路（１６）の内壁で掻き落とされ種出口（１４）に落下する。
【００２４】
種蒔きは、季節的な行事である。種まき器を使用せず、長期保管するときは、ゆるみ止めナット（５）を外し、ローラー（２）を取り外し、ローラー（２）外周面のブラシ繊維（２１）に外力が加わらないように保管することで、ブラシ繊維（２１）のヘタリや変形を防止でき、次回使用時にも十分な性能を発揮できる。
【符号の説明】
【００２５】
１    種容器
１１  フタ
１２  種出入口
１３  筒状部
１４  種出口
１５  種送り口
１６  種送り通路
２    ローラー
２１  ブラシ繊維
３    ローラー軸
４    柄
５    ゆるみ止めナット
Ｐ    ローラーの回転方向
Ｓ    種
Ｔ    種送り通路で掻き落とされた種
【図１】
2014204689.tif 000003
【図２】
2014204689.tif 000004
【図３】
2014204689.tif 000005
【図４】
2014204689.tif 000006
【図５】
2014204689.tif 000007
【図６】
2014204689.tif 000008